(57)【特許請求の範囲】
【請求項１】
複数の通信システムとそれぞれ通信を行う複数の通信手段を有する無線通信端末において、
前記各通信手段におけるハンドオフのしきい値を、前記各通信手段に設定するしきい値設定手段と、
１つの通信手段のみが通信可能である場合、前記しきい値設定手段によって設定されたしきい値を変更しないように制御し、
少なくとも２つ以上の通信手段が通信可能であり、かつ該通信手段の少なくとも１つにおいて頻繁にハンドオフが発生した場合、該通信可能である各通信手段の前記しきい値設定手段によって設定されたしきい値を他のしきい値に変更するように制御する制御手段と、
を有する無線通信端末。
【請求項２】
複数の通信システムとそれぞれ通信を行う複数の通信手段を有する無線通信端末において、
前記各通信手段におけるハンドオフのしきい値を、前記各通信手段に設定するしきい値設定手段と、
１つの通信手段のみが通信可能である場合、前記しきい値設定手段によって設定されたしきい値を変更しないように制御し、
少なくとも２つ以上の通信手段が通信可能であり、かつ該通信手段において頻繁にハンドオフが発生した場合、該頻繁にハンドオフが発生する通信手段の前記しきい値設定手段によって設定されたしきい値を他のしきい値に変更するように制御する制御手段と、
を有する無線通信端末。
【発明の詳細な説明】
【０００１】
【発明の属する技術分野】
本発明は、１つのＲＦ制御部によって複数の通信システムと通信を行う無線通信端末に関する。
【０００２】
【従来の技術】
１つのＲＦ制御部を２つの通信システムで使用するハイブリッド携帯端末は、双方のシステムが通信可能なエリア（圏内）にある場合、必要に応じてＲＦ制御部を使用すべき通信システムに切り替えて動作している。これをハイブリッド動作という。図４のように、２つの通信システムが共に待ち受け状態の場合は、２つの通信システムが重ならないように間欠受信が行われる。ハイブリッド携帯端末は、端末の動作に影響が出ないよう、現在使用中の通信システムがスリープ状態になったときにＲＦ制御部の切り替えを行う。また、特許文献１には、１つのアンテナで２つの通信システムを受信できる技術を開示している。
【０００３】
【特許文献１】
特開平１１−３４６１７０号公報
【０００４】
【発明が解決しようとする課題】
しかしながら上記技術では、一方の通信システムで待ち受け状態における基地局切り替え（アイドルハンドオフ）が起きていると、ハンドオフの処理中にＲＦ制御部は他方の通信システムへ切り替わることができない。
アイドルハンドオフは、基地局からハイブリッド携帯端末へ送信するパイロット信号の通信品質において、現在監視中の基地局が送信するパイロット信号の通信品質よりも良いパイロット信号を送信する基地局があった場合に発生する。サービスエリアの境界付近等で、一方の通信システムにおけるアイドルハンドオフが頻繁に起こった場合を考える。このとき、他方の通信システムが圏外の場合は、他方の通信システムを用いても発呼出来ないため問題は無い。しかし、両方の通信システムが圏内の場合、一方の通信システムがアイドルハンドオフを起こしている間中、ＲＦ制御部がアイドルハンドオフを起こしていない他の通信システムに切り替わらず、その通信システムで発呼出来ない時間が長くなる(図５参照)。
これでは、発呼を望まない方の通信システムがＲＦ制御部を使用しているために、発呼を望む通信システムが長時間ＲＦ制御部を使用できなくなってしまう。この発明はこのような点に鑑みてなされたもので、ハイブリッド端末において、端末が有する２つの通信システムが両方とも圏内であり、アイドルハンドオフが頻発する場合に、アイドルハンドオフを起こりにくくすることができる無線通信端末を提供することを目的としている。
【０００５】
【課題を解決するための手段】
上記した目的を達成するために、本発明は、複数の通信システムとそれぞれ通信を行う複数の通信手段を有する無線通信端末において、前記各通信手段におけるハンドオフのしきい値を、前記各通信手段に設定するしきい値設定手段と、１つの通信手段のみが通信可能である場合、前記しきい値設定手段によって設定されたしきい値を変更しないように制御し、少なくとも２つ以上の通信手段が通信可能であり、かつ該通信手段の少なくとも１つにおいて頻繁にハンドオフが発生した場合、該通信可能である各通信手段の前記しきい値設定手段によって設定されたしきい値を他のしきい値に変更するように制御する制御手段と、を有する。
【０００６】
また、本発明は、複数の通信システムとそれぞれ通信を行う複数の通信手段を有する無線通信端末において、前記各通信手段におけるハンドオフのしきい値を、前記各通信手段に設定するしきい値設定手段と、１つの通信手段のみが通信可能である場合、前記しきい値設定手段によって設定されたしきい値を変更しないように制御し、少なくとも２つ以上の通信手段が通信可能であり、かつ該通信手段において頻繁にハンドオフが発生した場合、該頻繁にハンドオフが発生する通信手段の前記しきい値設定手段によって設定されたしきい値を他のしきい値に変更するように制御する制御手段と、を有する。
【０００９】
【発明の実施の形態】
以下、図面を参照して本発明の実施の形態を説明する。
図１は、本発明の一実施形態に係るハイブリッド携帯端末１の概略構成を示すブロック図である。１０はメイン制御部（しきい値設定手段、判断手段、変更手段、算出手段）であり、ハイブリッド携帯端末１の各部を制御する。１１はＲＦ制御部（通信手段）であり、アンテナ１２を介して行う音声通話やデータ通信を制御する。１３は通信システムＡの設定を記憶している記憶部、１４は通信システムＢの設定を記憶している記憶部であり、あらかじめそれぞれ異なるプロトコルや使用周波数帯域等の情報が格納されている。１５はキー入力を行う操作部、１６は表示部、１７は音声処理部である。１８はデータ一時記憶用のＲＡＭ（ランダムアクセスメモリ）、１９はメイン制御部１０の動作プログラムを記憶するＲＯＭ（リードオンリメモリ）である。
【００１０】
次に、上記構成のハイブリッド端末１の動作について図２、図３を参照して説明する。まず、アイドルハンドオフを判定する為の初期値を設定する動作について、図２を用いて説明する。
ユーザは操作部１５を用いて、単位時間あたりに発生するアイドルハンドオフの回数のしきい値Ｎを設定する（ステップＳ１）。メイン制御部１０は設定されたしきい値ＮをＲＡＭ１８に格納する。またユーザは操作部１５を用いて、通信システムＡ、Ｂの判定値の初期値としてそれぞれａ１、ｂ１を入力する（ステップＳ２）。メイン制御部１０は、入力された判定値ａ１、ｂ１をそれぞれ記憶部１３、１４に格納する。なお、ユーザが入力や設定をしなくてもデフォルトで設定されていてもよい。
【００１１】
ここで、上述の判定値とは、現在監視中の基地局から他の基地局に切り替わる（ハンドオフ）際のしきい値であり、ＣＩＲ（Carrier to Interference ratio：搬送波対干渉比）やＲＳＳＩ(Received Signal Strength Indicator：受信信号強度)などといった、基地局からハイブリッド端末１へ送信されるパイロット信号の通信品質を判定するためのしきい値である。
ある通信システムにおける判定値を低くすると、現在監視中の基地局と通信できるエリアが狭くなるが、アイドルハンドオフの発生頻度は多くなる。逆に、判定値を高く設定すると、現在監視中の基地局と通信できるエリアが広くなり、通信品質がさほど良好でないエリアにもその基地局を介して通信を行うことができるが、アイドルハンドオフの発生頻度が少なくなる。
【００１２】
次に、アイドルハンドオフが発生した際のハイブリッド端末１の動作について、図３を用いて説明する。ハイブリッド端末１はどちらか一方の通信システムで基地局との通信を行っている。通信中のシステムでアイドルハンドオフが発生すると（ステップＳ１１で「Ｙｅｓ」）、メイン制御部１０は、アイドルハンドオフが発生する直前の、単位時間当りのアイドルハンドオフの回数ｎを計測する（ステップＳ１３）。計測した回数ｎが図２のステップＳ１で設定したしきい値Ｎより大きい場合（ステップＳ１５で「Ｙｅｓ」）、メイン制御部１０はアイドルハンドオフが頻発していると認識する。
【００１３】
このとき、２つの通信システムが両方とも圏内である場合（ステップＳ１７で「Ｙｅｓ」）、メイン制御部１０は、通信システムＡの判定値をａ２（ａ２＞ａ１）、通信システムＢの判定値をｂ２（ｂ２＞ｂ１）にそれぞれ上げ、記憶部１３、１４に格納している判定値をそれぞれ更新する（ステップＳ１９）。または、アイドルハンドオフが頻発している方の通信システムの判定値のみを上げてもよい。
計測したアイドルハンドオフの回数ｎがしきい値Ｎより小さい場合（ステップＳ１５で「Ｎｏ」）、または２つの通信システムのうち一方が圏外の場合（ステップＳ１７で「Ｎｏ」）、メイン制御部１０は通信システムＡ、Ｂそれぞれの判定値を初期値にし、記憶部１３、１４に格納している判定値をそれぞれ更新する（ステップＳ２１）。
【００１４】
以上説明したように、本実施形態によれば、ハイブリッド端末において、通信中の一方の通信システムでアイドルハンドオフが頻発すると、判定値を高くして、アイドルハンドオフの発生を抑える。よって、アイドルハンドオフが頻発することで一方の通信システムのみにＲＦ制御部が使用され、圏内であるもう一方の通信システムが発呼できないという事態を防ぐことができる。
また、どちらか一方の通信システムのみ圏内である場合は、しきい値を変更しないので、アイドルハンドオフが起きても着信率は変わらなくなる。
【００１５】
以上、本発明の実施形態について図面を参照して詳述してきたが、具体的な構成はこの実施形態に限られるものではなく、本発明の要旨を逸脱しない範囲の設計変更等も含まれる。
【００１６】
例えば、上記実施形態では、アイドルハンドオフが頻発している条件を回数で判断する構成としたが、本発明はこれに限定されるものではなく、アイドルハンドオフが発生している時間により頻発しているか否かを判断する構成としてもよい。
また、単位時間当りのアイドルハンドオフの回数と、その回数に対応した判定値とをテーブル化して、ハイブリッド端末のＲＡＭに記憶し、アイドルハンドオフの回数を計測した際にそのテーブルを参照して判定値を決定する構成としてもよい。
また、上記実施形態における携帯電話機の代わりに、無線通信機能を備えた携帯型パーソナル・コンピュータ又はＰＤＡ（Personal Digital Assistance）に本発明を適用してもよい。
【００１７】
【発明の効果】
以上の説明で明らかなように、本発明によれば、少なくとも２つ以上の通信システムによる通信が可能であり、一方の通信システムにおけるハンドオフの発生頻度が所定値を超えた場合、基地局から受信する信号の品質判断のしきい値を変更するので、ハイブリッド動作中、一方の通信システムでアイドルハンドオフが頻発することを防止することができ、これにより、一方の通信システムによってＲＦ制御部が占有される状態を防ぐことができる。
【図面の簡単な説明】
【図１】  本発明の一実施形態に係るハイブリッド端末１の概略構成を示すブロック図である。
【図２】  同実施形態におけるハイブリッド端末１の、アイドルハンドオフを判定する初期値を設定する動作を示すフローチャートである。
【図３】  同実施形態におけるハイブリッド端末１の、アイドルハンドオフが発生した際の動作を示すフローチャートである。
【図４】  ハイブリッド端末における、２つの通信システムの待ち受け状態のタイミングチャートである。
【図５】  ハイブリッド端末における、一方の通信システムのアイドルハンドオフ発生時のタイミングチャートである。
【符号の説明】
１…ハイブリッド端末、１０…メイン制御部、１１…ＲＦ制御部、１２…アンテナ、１３…通信システムＡ記憶部、１４…通信システムＢ記憶部、１５…操作部、１６…表示部、１７…音声処理部、１８…ＲＡＭ、１９…ＲＯＭ
【図１】
0004364572.tif 000002
【図２】
0004364572.tif 000003
【図３】
0004364572.tif 000004
【図４】
0004364572.tif 000005
【図５】
0004364572.tif 000006